(57)【特許請求の範囲】
【請求項１】
ボックス挿入孔を有し、壁に固定される取付板、及び
操作表示機器が収納されており、上記ボックス挿入孔に挿入され上記取付板に固定されるボックス
を備え、
上記取付板と上記ボックスとの間には、上記ボックスを上記ボックス挿入孔に挿入する際に上記ボックスを挿入方向へ案内するガイド機構と、上記ボックス挿入孔からの上記ボックスの抜けを阻止する抜け止め機構とが設けられており、
上記抜け止め機構は、弾性変形により上記ボックス挿入孔への上記ボックスの挿入を許容するとともに、上記ボックス挿入孔に上記ボックスが挿入されると復元して上記ボックス挿入孔からの上記ボックスの抜けを阻止する弾性部材を有しており、
上記ガイド機構は、上記取付板の裏面に設けられ上記ボックス挿入孔を挟んで互いに対向する一対の対向部と、上記対向部及び上記ボックスのいずれか一方に設けられ上記弾性部材を兼ねる複数の挿入部材と、上記対向部及び上記ボックスの他方に設けられ、対応する上記挿入部材が挿入されるスリットを形成する複数のガイド部材とを有しており、
上記挿入部材には、抜け止め突起及び上記抜け止め突起が嵌合する嵌合孔のいずれか一方が設けられており、
上記対向部には、上記抜け止め突起及び上記嵌合孔の他方が設けられていることを特徴とするエレベータの操作表示装置。
【請求項２】
上記ボックスの上記対向部に対向する面と背面との間のコーナー部には、面取り部及び丸み部の少なくともいずれか一方が設けられていることを特徴とする請求項１記載のエレベータの操作表示装置。
【請求項３】
上記ガイド機構は、上記ボックスが上記ボックス挿入孔に斜め下方へ向けて挿入されるように上記ボックスを案内することを特徴とする請求項１又は請求項２に記載のエレベータの操作表示装置。
【発明の詳細な説明】
【技術分野】
【０００１】
この発明は、例えばかご室壁に設けられるかご操作盤、又は乗場壁に設けられる乗場ボタン装置など、操作表示機器が収納されたボックスを有するエレベータの操作表示装置に関するものである。
【背景技術】
【０００２】
従来のエレベータの操作盤取付構造では、一対の係合部が操作盤に設けられている。係合部は、板状部材の取付孔の開口端に遊びを持って係合する。また、一方の係合部には、付勢部材が設けられている。そして、係合部材を開口端に係合させると、付勢部材により操作盤が開口端の一側に押し付けられ固定される（例えば、特許文献１参照）。
【０００３】
【特許文献１】特開平９−４０３０９号公報
【発明の開示】
【発明が解決しようとする課題】
【０００４】
上記のような従来の操作盤取付構造では、操作盤を取付孔に固定する際に、取付孔の幅方向に操作盤が動かされるため、操作盤のフェースプレートが板状部材の意匠面に摩擦され、板状部材の意匠面を傷付ける恐れがある。
【０００５】
この発明は、上記のような課題を解決するためになされたものであり、取付板の表面を傷付けることなく、取付板の表面側からボックスを容易に取り付けることができるエレベータの操作表示装置を得ることを目的とする。
【課題を解決するための手段】
【０００６】
この発明に係るエレベータの操作表示装置は、ボックス挿入孔を有し、壁に固定される取付板、及び操作表示機器が収納されており、ボックス挿入孔に挿入され取付板に固定されるボックスを備え、取付板とボックスとの間には、ボックスをボックス挿入孔に挿入する際にボックスを挿入方向へ案内するガイド機構と、ボックス挿入孔からのボックスの抜けを阻止する抜け止め機構とが設けられており、抜け止め機構は、弾性変形によりボックス挿入孔へのボックスの挿入を許容するとともに、ボックス挿入孔にボックスが挿入されると復元してボックス挿入孔からのボックスの抜けを阻止する弾性部材を有している。
【発明の効果】
【０００７】
この発明のエレベータの操作表示装置は、ボックスをボックス挿入孔に挿入する際にボックスを挿入方向へ案内するガイド機構と、ボックス挿入孔からのボックスの抜けを阻止する抜け止め機構とを、取付板とボックスとの間に設け、抜け止め機構には、弾性変形によりボックス挿入孔へのボックスの挿入を許容するとともに、ボックス挿入孔にボックスが挿入されると復元してボックス挿入孔からのボックスの抜けを阻止する弾性部材を設けたので、取付板の表面を傷付けることなく、取付板の表面側からボックスを容易に取り付けることができる。
【発明を実施するための最良の形態】
【０００８】
以下、この発明を実施するための最良の形態について、図面を参照して説明する。
実施の形態１．
図１はこの発明の実施の形態１によるエレベータのかご操作盤を示す分解斜視図である。図において、金属板を折り曲げ加工してなる取付板１は、かご室壁に固定される。取付板１は、意匠面を構成する正面部１ａを有している。正面部１ａには、縦長の長方形状のボックス挿入孔１ｂが設けられている。
【０００９】
正面部１ａの裏面には、ボックス挿入孔１ｂを挟んで互いに対向する嵌合部材としての一対の対向部１ｃ，１ｄが設けられている。対向部１ｃ，１ｄは、ボックス挿入孔１ｂの左右に配置されている。また、各対向部１ｃ，１ｄは、正面部１ａの一部を裏面側へ直角に折り曲げることにより形成されている。
【００１０】
各対向部１ｃ，１ｄには、上記対向部１ｃ，１ｄとの間にスリット２ａを形成する複数のガイド部材２が固着されている。ガイド部材２は、対向部１ｃ，１ｄの上端部近傍、上下方向の中間部、及び下端部近傍に設けられている。
【００１１】
また、各対向部１ｃ，１ｄには、複数の嵌合孔３が設けられている。各嵌合孔３は、ガイド部材２に隣接して設けられている。また、各嵌合孔３は、ガイド部材２よりもボックス挿入孔１ｂの奥側に設けられている。
【００１２】
ボックス挿入孔１ｂには、操作表示機器が収納されたボックス４が挿入される。ボックス４は、前面に開口を有するボックス本体５と、ボックス本体５の開口を塞ぐフェースプレート６とを有している。ボックス４をボックス挿入孔１ｂに挿入した状態では、フェースプレート６のみがボックス挿入孔１ｂの外部、即ちかご室内に露出される。
【００１３】
フェースプレート６の前面には、表示部７と、複数の操作ボタン８とが設けられている。フェースプレート６は、ボックス本体５に対して着脱可能となっている。ボックス本体５側に設けられた操作表示機器と、フェースプレート６側に設けられた操作表示機器とは、ハーネスを介して接続されている。
【００１４】
ボックス本体５の左右の側面部には、スリット２ａに挿入される挿入部材としての複数の弾性部材（レバー）９が固定されている。各弾性部材９には、嵌合孔３に嵌合される抜け止め突起１０が設けられている。
【００１５】
弾性部材９は、弾性変形によりボックス挿入孔１ｂへのボックス４の挿入を許容する。また、ボックス挿入孔１ｂにボックス４が挿入されると、弾性部材９が復元して嵌合孔３に抜け止め突起１０が嵌合し、ボックス挿入孔１ｂからのボックス４の抜けが阻止される。また、嵌合孔３に抜け止め突起１０が嵌合することにより、挿入方向へのボックス４の位置決めも行われる。
【００１６】
図２は図１のかご操作盤を示す平面図、図３は図１のボックス４の要部を示す背面図、図４は図１の取付板１の要部を拡大して示す背面図、図５は図１のボックス４を取付板１に取り付けた状態を示す平面図である。
【００１７】
左右のガイド部材２間の寸法Ｗ１と、ボックス本体５の幅寸法Ｗ２とは、ほぼ同一になっている（Ｗ１＝Ｗ２）。これにより、ボックス４がその幅方向に位置決めされ、ボックス４の幅方向へのガタの発生が防止される。
【００１８】
スリット２ａの断面形状は、台形である。弾性部材９の幅寸法Ｗ３と、ガイド部材２の弾性部材９と係合する部分の寸法（スリット２ａの実質的な幅寸法）Ｗ４とは、ほぼ同一になっている（Ｗ３＝Ｗ４）。これにより、ボックス４がその上下方向に位置決めされ、ボックス４の上下方向へのガタの発生が防止される。
【００１９】
ボックス本体５の後端部の左右のコーナー部（ボックス本体５の両側面と背面との間のコーナー部）には、ガイド部材２の表面にボックス本体５の側面をスムーズに沿わせるために、面取り部５ａ又は丸み部（アール部）５ｂが設けられている。図２及び図５では、説明のため、面取り部５ａ及び丸み部５ｂの両方を混在させたが、通常はいずれか一方が両コーナー部に設けられる。
【００２０】
実施の形態１のガイド機構は、対向部１ｃ，１ｄと、ガイド部材２と、弾性部材９とを有している。このガイド機構は、取付板１とボックス４との間に設けられ、ボックス４をボックス挿入孔１ｂに挿入する際にボックス４を挿入方向へ案内する。
【００２１】
実施の形態１の抜け止め機構は、嵌合孔３が設けられた対向部１ｃ，１ｄと、抜け止め突起１０が設けられた弾性部材９とを有している。この抜け止め機構は、ボックス挿入孔１ｂからのボックス４の抜けを阻止する。
【００２２】
このようなエレベータのかご操作盤では、ボックス４をボックス挿入孔１ｂに挿入する際にボックス４を挿入方向へ案内するガイド機構と、ボックス挿入孔１ｂからのボックス４の抜けを阻止する抜け止め機構とを、取付板１とボックス４との間に設け、抜け止め機構には、弾性変形によりボックス挿入孔１ｂへのボックス４の挿入を許容するとともに、ボックス挿入孔１ｂにボックス４が挿入されると復元してボックス挿入孔１ｂからのボックス４の抜けを阻止する弾性部材９を設けたので、取付板１の表面を傷付けることなく、取付板１の表面側からボックス４をワンタッチで容易に取り付けることができる。
【００２３】
また、フェースプレート６をボックス本体５に取り付けた状態でボックス４を取付板１に固定することができるので、ボックス４の組立を工場で完了させることができ、現場での据付作業を容易にすることができる。
【００２４】
さらに、対向部１ｃ，１ｄと、ガイド部材２と、弾性部材９とを有するガイド機構を用いたので、簡単な構成でボックス４を案内できるとともに、ボックス４にガタが発生するのを防止することができる。
【００２５】
さらにまた、抜け止め機構の一部である弾性部材９が、ガイド機構の一部である挿入部材を兼ねているので、構成を簡単にすることができる。
【００２６】
また、嵌合孔３が設けられた対向部１ｃ，１ｄと、抜け止め突起１０が設けられた弾性部材９とを有する抜け止め機構を用いたので、簡単な構成によりボックス４の抜けを防止することができるとともに、挿入方向へのボックス４の位置決めも行うことができる。
【００２７】
実施の形態２．
次に、図６はこの発明の実施の形態２によるエレベータのかご操作盤を示す側面図、図７は図６のかご操作盤を示す分解側面図である。この例では、弾性部材９がボックス４の奥行き方向に対して傾斜してボックス４に取り付けられている。具体的には、弾性部材９は、ボックス４の後ろ側の端部がボックス４の前側の端部よりも下に位置するように傾斜されている。また、ガイド部材２は、弾性部材９の傾斜に対応してスリット２ａが傾斜するように対向部１ｃ，１ｄに取り付けられている。他の構成は、実施の形態１と同様である。
【００２８】
このようなエレベータのかご操作盤では、弾性部材９及びガイド部材２が傾斜しているため、ボックス４をボックス挿入孔１ｂに挿入する際には、ボックス４を斜め下方へ動かすことになる。従って、ボックス４の自重を利用して、ボックス４をボックス挿入孔１ｂ内に容易に挿入することができる。
【００２９】
また、通常、ボックス４内の操作表示機器に接続された配線は、ボックス４の下端部から引き出されているので、ボックス４を斜め下方へ動かしながらボックス挿入孔１ｂに挿入することにより、配線をボックス挿入孔１ｂ内にスムーズに導入することができる。
【００３０】
なお、ガイド部材２の形状は上記の例に限定されるものではなく、例えば図８に示すように、スリット２ａの上端部又は下端部が開放されているような形状であってもよい。この場合、スリット２ａの上端部が開放されたガイド部材２と下端部が開放されたガイド部材２とを混在させれば、ガイド部材２によりボックス４の上下方向への位置決めを行うことができ、ボックス４の上下方向へのガタの発生も防止される。
【００３１】
また、弾性部材９は、ボックス４の側面に一体に形成してもよい。同様に、ガイド部材２は、対向部１ｃ，１ｄに一体に形成してもよい。例えば、ボックス４及び対向部１ｃ，１ｄが板金部材により構成されている場合、弾性部材９及びガイド部材２を板金プレス加工で形成することができる。これにより、部品点数を削減してコストを低減することができる。
【００３２】
さらに、上記の例では、対向部１ｃ，１ｄをボックス挿入孔１ｂの左右両側に設けたが、上下に設けてもよい。この場合、弾性部材９は、ボックス本体５の上面及び下面に設ければよい。
さらにまた、ガイド部材２及び弾性部材９の組数は特に限定されるものではなく、例えば、弾性部材９及びスリット２ａの幅寸法をある程度大きくして支持強度を確保できれば、ボックス本体５の両側に１組ずつとすることもできる。
【００３３】
また、上記の例では、対向部１ｃ，１ｄにガイド部材２を設け、ボックス本体５に弾性部材９を設けたが、逆であってもよい。
さらに、対向部１ｃ，１ｄにガイド部材２及び弾性部材９の両方を設け、ボックス本体５にもガイド部材２及び弾性部材９の両方を設けてもよい。
【００３４】
さらにまた、上記の例では、弾性部材９がガイド機構の挿入部材を兼ねたが、ガイド機構と抜け止め機構とは、部品を共有することなく別々に設けることもできる。
【００３５】
また、上記の例では、嵌合孔３に抜け止め突起１０を嵌合させる抜け止め機構を用いたが、これに限定されるものではなく、例えばフックを係止部に係止させる構造でもよい。
【００３６】
さらに、上記の例では、操作表示装置としてかご操作盤を示したが、例えば、乗場壁に設けられる乗場ボタン装置、乗場インジケータ及びホールランタン等にもこの発明は適用できる。
【図面の簡単な説明】
【００３７】
【図１】この発明の実施の形態１によるエレベータのかご操作盤を示す分解斜視図である。
【図２】図１のかご操作盤を示す平面図である。
【図３】図１のボックスの要部を示す背面図である。
【図４】図１の取付板の要部を拡大して示す背面図である。
【図５】図１のボックスを取付板に取り付けた状態を示す平面図である。
【図６】この発明の実施の形態２によるエレベータのかご操作盤を示す側面図である。
【図７】図６のかご操作盤を示す分解側面図である。
【図８】ガイド部材の他の例を示す側面図である。
【符号の説明】
【００３８】
１  取付板、１ｂ  ボックス挿入孔、１ｃ，１ｄ  対向部、２  ガイド部材、２ａ  スリット、３  嵌合孔、４  ボックス、５ａ  面取り部、５ｂ  丸み部、９  弾性部材、１０  抜け止め突起。
【図１】
0005207830.tif 000002
【図２】
0005207830.tif 000003
【図３】
0005207830.tif 000004
【図４】
0005207830.tif 000005
【図５】
0005207830.tif 000006
【図６】
0005207830.tif 000007
【図７】
0005207830.tif 000008
【図８】
0005207830.tif 000009